(57)【要約】      （修正有）【課題】作業者が隙間に入って撤去作業をしなくても良い工法を提供する。【解決手段】  コンクリート床１を作るときのコンクリート型枠２を基礎９の上に載せていくときに、先端の細くなった支柱５を上側にして基礎９に立てその上に大引き４や根太３を乗せて組む。コンクリート型枠２を根太３に乗せるせる前に根太３や大引き４支柱５をヒモ１０等でつなげ、ヒモの端部１０ａを基礎外周カバー１１の一部切り欠き開放しておいた所から外に出しておく。建物が完成後にコンクリート床１をジャッキ１２等で水平方向へ移動させると支柱５が傾き根太３や大引き４も横へずれでいき倒れる、基礎９の上に倒れた支柱５や根太３大引き４の床下からの撤去は、施工のときに結んでおいたヒモ１０ａを引っ張る。【選択図】図１
2005351060.tif 000002
【特許請求の範囲】
【請求項１】
免震装置の円錐形状したプレートをコンクリート床下面側に設置し、基礎側には免震装置の回転ボールを配置したコンクリート床の戸建免震住宅で、コンクリート床を支持する基礎の上に立てる支柱と大引きや根太をヒモで固定しておくことを特徴とするコンクリート床施工方法
【請求項２】
コンクリート床とその上部に建てられる建物を水平方向に移動させるための移動装置をコンクリート床の端面と地面との間に取付て建物完成後に水平移動を可能にした請求項１に記載のコンクリート床施工方法
【請求項３】
建物完成後に水平移動させて、コンクリート床下面側に設置した円錐形状したプレートを基礎側の免震装置の回転ボールに移乗させながら施工時の支柱や根太を転倒させてコンクリート床面の狭い所からでもヒモ等でつなげておいた支柱や根太をヒモを引っ張ることで撤去でき、また、免震装置の機能も発揮できる請求項１に記載のコンクリート床施工方法。
【発明の詳細な説明】
【技術分野】
【０００１】  本発明は、戸建免震住宅の建物の床部に摘用して、鉄骨で組む床梁をコンクリート製にすることで免震住宅の施工を容易にし、免震住宅のコストを押さえた工法に関するものである。
【背景技術】
【０００２】  戸建免震住宅の床部は鉄骨を組んで、その上に住宅を建てる工法が主流である。
ただし、戸建免震住宅はサイズも均一でなく、その都度鉄骨を組み合わせてやるために量産性も得られず価格も下がらない要因となっている。
ビル免震などのように床下に作業者が入れるスペースがとれる建物の場合には、コンクリート床が容易に施工できる。施工するときの方法として、支柱を組立、その上に根太、合板等を敷いてコンクリートを流し込んでいる。支柱を解体撤去するには、支柱に加工されているネジを弛めて支柱を下げて撤去することが出来るため支柱を１本ずつ取り外すことが出来る。この工法は従来工法として確立されている。また、戸建免震住宅でもコンクリート床工法がある。その場合に床下が５００〜６００ｍｍと狭く、作業者が入り込んで作業が出来ないために、コンクリートを流し込んだ後にコンクリート床をジャッキやエアバックなどを使いコンクリート床を上昇させてから支柱の撤去・解体をしている。
【発明の開示】
【発明が解決しようとする課題】
【０００３】  本発明は、戸建免震住宅のコンクリート床の施工方法として、床下が５００〜６００ｍｍと狭く、作業者が入り込んで作業が出来ないときに、ジャッキアップやエァバックなどを使ってコンクリート床を上昇させて作業者が隙間に入って撤去作業をしなくても良い工法の提案である。
【課題を解決するための手段】
【０００４】  コンクリート床を作るための施工の方法は従来とほぼ同じであるが、本発明では、上記目的を達成するために、免震装置のボール支承の上に円錐形状のプレートをコンクリート床下面側に設置し、周囲に支柱を組立、その上に大引き、根太を敷いた後に、大引き、根太や支柱をヒモ等でつなげておく。コンクリート型枠はヒモを取りつけた後で根太の上に取りつける。【０００５】  コンクリート打設後、コンクリートが硬化して必要な床強度が得られた時点で、支柱やその上の根太を撤去するために、コンクリート床の端部にジャッキなどを使ってコンクリート床を水平方向に押す。コンクリート床は施工時に免震装置には載荷されずに支柱にて荷重が支えられているが、コンクリート床がジャッキなどで押されて水平方向に動いて行くと、基礎側に配置された回転ボールがコンクリート床下面側に設置した円錐形状したプレートに接触して作動することで、プレートのテーパー角度分上方へコンクリート床を上昇させることができる。したがって、コンクリート床自重は、支柱から免震装置に移動して、支柱にはコンクリート床自重は載ってないことになり、支柱を容易に取り外すことができる。また、コンクリート床を押すジャッキ荷重はボールによる転がり摩擦分なので、小さい荷重で押すことが出来る。【０００６】  この状態になったら、根太が水平に移動することで支柱も傾いていくために支柱が倒れる。大引き、根太、支柱等に付けておいたヒモの端を引っ張ることで、倒れた大引、根太、支柱等を床下から容易に引き出すことが出来る。従来のように、コンクリート床をジャッキアップして床下に作業者が入り込むことなく撤去することが可能となる。
【発明の効果】
【０００７】  戸建免震住宅の土台受けは、現在、鉄骨梁方式が主流であるがコストが割高となっている。本発明では鉄骨土台をコストの安いコンクリート構造にしているが、従来、コンクリート構造施工上の欠点であった型枠作業を簡易にできる工夫をしている。本発明によれば、従来工法の根太や支柱を施工後に撤去する煩雑さと手間を大きく低減でき、免震住宅土台のコストを大幅に押さえることが可能となる。したがって、戸建免震住宅の普及に大きく貢献できる。
【発明を実施するための最良の形態】
【０００８】  以下、図面を参照しながら、本発明の特徴とする実施形態を詳細に説明する。図１は、本発明に係る一実施例を示した図である。図２はコンクリート床を外側から押したときに、根太（３）や支柱（５）が倒れる図である。
図３は戸建住宅のように床下が５００〜６００ｍｍと狭く、作業者が入り込んで作業が出来ない場合に、コンクリート床（１）をジャッキ（１７）やエアバック（１８）などを使いコンクリート床を上昇させてから支柱の撤去・解体をしている従来工法の図である。
図４はビルなどのように床下に作業者が入れるスペースがとれる建物の場合には、コンクリート床を施工するときの方法として、ネジ付支柱（１９）を組立、支柱を解体撤去するには、支柱に加工されているネジを弛めて支柱を下げて撤去することが出来る従来工法の図である。【０００９】  図３で明らかなように、戸建住宅のように床下が狭い場合は、作業者が入り込んで作業が出来ないために、施工後にコンクリート床をジャッキ（１７）またはエアバック（１８）などを使いコンクリート床（１）を上昇させてから大引き（４）、根太（３）や支柱（５）の撤去・解体をしている。この作業は、ジャッキ（１７）またはエアバック（１８）の配置やリフトアップのために技術を必要とする。コンクリート構造自体は安価であるが、施工機材を撤去するために工数を要し、コストダウンを妨げていた。【０００１０】  本発明の免震装置の施工方法では、基礎（９）側に免震装置（８）、回転ボール（７）を、コンクリート床下面（１ａ）側に円錐形状したプレート（６）が設置される。
支柱（５）の組立に当たっては、支柱（５）の先端部（５ａ）をやや細くしておき、その上に大引き（４）、根太（３）を載せる。根太（３）を敷いた後に、大引き、根太や支柱をヒモ等（１０ｂ）でつなげ、ヒモの先端（１０ａ）は建物の外へ出しておく。コンクリート型枠（２）はヒモ（１０）を取りつけた後で根太の上に取りつける。コンクリート型枠（２）を載せた後にコンクリートを流し込みコンクリート床（１）を作る。【００１１】  コンクリートが固まりコンクリート強度が得られた後にコンクリート床（１）の上には土台（１３）や柱（１５）やフローリング（１４）が施工される。従来の鉄骨方式は床暖房をするときには鉄骨の隙間を断熱材で覆うのが大変であるが、コンクリート床の場合には床が密閉されているため、フローリング（１４）とコンクリート床（１）との空間（１６）を適当に設けることで床暖房機器の断熱材等の設置が容易になる。【００１２】  建物の工事が完了後に、免震装置の機能を発揮させ免震装置に住宅の重量を支持させるには、建物の外からジャッキ等（１２）でコンクリート床（１）を水平に移動させることが出来る装置をセットする。ジャッキ等（１２）でコンクリート床（１）を水平に押して行くとコンクリート床下面（１ａ）に取りつけてある円錐形状したプレート（６）の角度θ（６ａ）は４度程度のテーパー状になっているため、ジャッキ等（１２）でコンクリート床（１）を水平に押したときのストロークをＳとすると、コンクリート床（１）が上に上昇する量ＸはＸ＝ｔａｎθ×ＳとなりＳ＝２００ｍｍとするとＸは約１５ｍｍ程度上昇する。コンクリート床下の型枠材の撤去は、あまり重量がかかっていない工事初期や途中に行うこともできる。【００１３】  図２に示すように、コンクリート床（１）が水平移動していくと支柱（５）の先端部（５ａ）は細くなっているために支柱（５）がコンクリート床（１）の移動に対して斜めになりやすく、ジャッキ（１２）で押す荷重も大きな荷重を必要とせずに根太（３）や大引き（４）も移動できる。水平に移動するにつれて支柱（５）や根太（３）および大引き（４）が傾いていき変形が大きくなると基礎（９）の上に倒れる。コンクリート型枠（２）と根太（３）との隙間ができると住宅荷重は免震装置（８）に移り回転ボール（７）は、円錐形状したプレート（６）の表面を転がり移動するため転がり摩擦となりジャッキ（１２）で押す荷重はさらに小さい荷重で済む。【００１４】  基礎（９）の上に倒れた支柱（５）や根太（３）大引き（４）の床下からの撤去は、建物の基礎外周覆い壁（１１）の一部を開放しておいた所から外に出したヒモ（１０ａ）を引っ張ることで、床下隙間の狭い所からでも簡単に支柱（５）や根太（３）の施工機材を取り出すことが可能となる。また、支柱（５）や根太（３）および大引き（４）が倒れにくいときでもヒモ（１０ａ）を引っ張ることで引き倒し、これらの施工機材を床下から取り出すことが可能である。施工機材を取り出したあとにコンクリート床（１）を押していたジャッキ（１２）を撤去すれば、免震装置がコンクリート床（１）を支持するので、その上に建設された住宅は、免震住宅としての機能を発揮する。
【図面の簡単な説明】
【００１５】
【図１】  本発明に係る一実施例を示した図である。
【図２】  図１のコンクリート床を建物の外側から押したときに、根太や支柱が倒れる図である。
【図３】  戸建住宅のように床下が５００〜６００ｍｍと狭く、作業者が入り込んで作業が出来ない場合に、コンクリート床をジャッキやエアバックなどを使いコンクリート床を上昇させてから支柱の撤去・解体をしている従来工法の図である。
【図４】  ビル免震などのように床下に作業者が入れるスペースがとれる建物の場合には、コンクリート床を施工するときの方法として、支柱を組立、支柱を解体撤去するには、支柱に加工されているネジを弛めて支柱を下げて撤去することが出来る従来工法の図である。
【符号の説明】
【００１６】  １      コンクリート床
１ａ    コンクリート床下面
２      コンクリート型枠
３      根太
４      大引き
５      支柱
５ａ    支柱先端部
６      円錐形状プレート
７      回転ボール
８      免震装置
９      基礎
１０      ヒモ
１１      基礎外周カバー
１２      ジャッキ（水平用）
１３      土台
１４      フローリング
１５      柱
１６      空間
１７      ジャッキ（上昇用）
１８      エァバック
１９      ネジ付支柱
【図１】
2005351060.tif 000003
【図２】
2005351060.tif 000004
【図３】
2005351060.tif 000005
【図４】
2005351060.tif 000006